(57)【要約】【課題】マルチビュー液晶を表示部に採用し、各部に対して作業を行なうユーザに見やすくガイダンス表示を行なう画像形成装置を提供する。【解決手段】ＭＦＰの表示部３０Ａにはマルチビュー液晶が採用され、正面方向、右方向、および左方向に対して異なる画面を表示することができる。ＭＦＰでは、ジャムが発生した際に、正面の方向にたとえば給紙カセット等の正面位置でのジャム対処用のガイダンス画面を表示し、左方向にたとえば排紙ローラ部付近等の左位置でのジャム対処用のガイダンス画面を表示し、右方向にたとえば給紙ローラ部付近等の右位置でのジャム対処用のガイダンス画面を表示する。これにより、各位置でジャム対処するユーザがガイダンス画面を見やすくなる。【選択図】図７
2009229731.tif 000002
【特許請求の範囲】
【請求項１】
作業のためのガイダンス表示の開始を判断する判断手段と、
前記判断手段で前記ガイダンス表示を開始すると判断された場合に、前記ガイダンスを表示する表示手段とを備え、
前記表示手段は、前記表示手段の正面位置と視点との角度である視野角が第１の角度となる第１の方向に対して第１の画面と、前記視野角が第２の角度となる第２の方向に対して第２の画面とを同時に表示し、前記第１の画面として前記第１の方向での作業に対応したガイダンスを含む画面を表示し、前記第２の画面として前記第２の方向での作業に対応したガイダンスを含む画面を表示する、画像形成装置。
【請求項２】
前記ガイダンスはジャムに対処する作業のためのガイダンスを含み、
前記判断手段はジャムの発生を検出することで前記ジャムに対処する作業のためのガイダンス表示の開始と判断し、
前記表示手段は、前記ジャムに対処する作業を行なう各位置から視認可能な位置に設けられ、前記第１の画面として前記各位置のうち前記第１の方向に対応した位置での作業に対応したガイダンスを含む画面を表示し、前記第２の画面として前記各位置のうち前記第２の方向に対応した位置での作業に対応したガイダンスを含む画面を表示する、請求項１に記載の画像形成装置。
【請求項３】
前記ガイダンスは当該画像形成装置をセットアップまたはメンテナンスする作業のためのガイダンスを含み、
前記判断手段はセットアップまたはメンテナンスの開始を検出することで前記セットアップまたはメンテナンスする作業のためのガイダンス表示の開始と判断し、
前記表示手段は、前記セットアップまたはメンテナンスする作業を行なう各位置から視認可能な位置に設けられ、前記第１の画面として前記各位置のうち前記第１の方向に対応した位置での作業に対応したガイダンスを含む画面を表示し、前記第２の画面として前記各位置のうち前記第２の方向に対応した位置での作業に対応したガイダンスを含む画面を表示する、請求項１に記載の画像形成装置。
【請求項４】
前記判断手段は、さらに前記ガイダンスの種類を判断し、
前記表示手段において、前記判断手段で判断された種類に対応した前記ガイダンスを表示させる表示制御手段をさらに備える、請求項１〜３のいずれかに記載の画像形成装置。
【請求項５】
前記判断手段は、さらに前記ガイダンス表示の方向を判断し、
前記表示手段において、前記判断手段で判断された方向に前記方向での作業に対応したガイダンスを含む画面を表示させる表示制御手段をさらに備える、請求項１〜４のいずれかに記載の画像形成装置。
【請求項６】
前記作業は第１段階の作業と第２段階の作業とを含み、
前記判断手段は、さらに前記第１段階の作業の完了を判断し、
前記表示制御手段は、前記表示手段に、前記判断手段で前記第１段階の作業の完了が判断されるまで前記第１段階の作業に応じた方向に前記第１段階の作業に対応したガイダンスを含む画面を表示させ、前記判断手段で前記第１段階の作業の完了が判断されると前記第２段階の作業に応じた方向に前記第２段階の作業に対応したガイダンスを含む画面を表示させる、請求項５に記載の画像形成装置。
【請求項７】
前記表示制御手段は、前記表示手段に、前記判断手段で前記第１段階の作業の完了が判断されると、さらに、前記第１段階の作業に応じた方向に前記第２段階の作業の位置を通知する画面を表示させる、請求項６に記載の画像形成装置。
【請求項８】
前記作業は第１段階の作業と第２段階の作業とを含み、
前記判断手段は、さらに前記第１段階の作業の完了およびその段階で使用可能な機能を判断し、
前記表示制御手段は、前記表示手段に、前記判断手段で前記第１段階の作業の完了が判断されると前記第２段階の作業に応じた方向に前記第２段階の作業に対応したガイダンスを含む画面を表示させると共に、前記機能を操作するための位置に応じた方向に、前記操作のための画面を表示させる、請求項５〜７のいずれかに記載の画像形成装置。
【請求項９】
前記第１の画面および前記第２の画面は、各々、操作を指示するための指示手段を含み、
前記各指示手段は、前記表示手段において異なる座標位置に表示される、請求項１〜８のいずれかに記載の画像形成装置。
【発明の詳細な説明】
【技術分野】
【０００１】
この発明は画像形成装置に関し、特に、マルチビュー表示装置を備えた画像形成装置に関する。
【背景技術】
【０００２】
プリンタや複写機やそれらの複合機であるＭＦＰ（Multi Function Peripheral）などの画像形成装置には表示装置が備えられ、紙詰まり（ジャム）等のトラブルが発生した際に、そのトラブルへ対処するためのガイダンスが表示装置に表示されることがある。上述の表示装置の他、各処理位置にラベルを添付したり、画像形成装置の取扱説明書に記載したり、するなどしてガイダンスが提示されることがある。トラブル対処の他、消耗品の補給方法やメンテナンス方法やセットアップ方法などのガイダンスについても同様の提示がなされる。
【０００３】
しかし、そのような提示方法では、従来の表示装置での提示では、ジャムの発生位置に関する情報のみが表示される。また、ラベルでの提示ではラベル自体の面積が制約されていたり、挿絵が汎用的になったりすることがある。このため、ガイダンス内容が分かり難い場合がある。また、取扱説明書に記載されている場合、取扱説明書をわざわざ見なければならない。また、装置近傍に設置されていない場合には入手しなければならない。そのため、ガイダンス内容を得るまでの手間が煩雑になる場合がある。
【０００４】
そこで、ガイダンス内容を分かりやすくするために、特開２００２−１８７３３２号公報（以下、特許文献１）は、ジャムに対処する表示を行なう方法として、第１番目の画面にジャムの発生位置を選択肢として提示し、ジャムの発生位置が選択されると画面が第２番目の画面に切り替わってその位置に応じた対処方法を提示する方法を開示している。また、特開２００４−３０２４９２号公報（以下、特許文献２）は、１画面に同時にジャムの発生位置とその位置に応じた対処方法とを提示する方法を開示している。
【特許文献１】特開２００２−１８７３３２号公報
【特許文献２】特開２００４−３０２４９２号公報
【発明の開示】
【発明が解決しようとする課題】
【０００５】
しかしながら、特許文献１に開示されている提示方法では、ジャムの発生位置を選択する操作が必要となり、ガイダンス内容を得るまでの操作に手間がかかるという問題がある。また、特許文献２に開示されている提示方法ではガイダンスの表示範囲が限られるため、表示装置の限られた領域した有効に活用できず、情報量が不足する場合がある、という問題がある。これらのことは、消耗品の補給や作業員（サービスマン）のメンテナンス処理やセットアップ処理でのガイダンスを表示する場合についても同様である。
【０００６】
本発明はこのような問題に鑑みてなされたものであって、マルチビュー液晶を表示部に採用して表示部を有効に活用し、ガイダンスをより分かりやすく提示することのできる画像形成装置を提供することを目的とする。
【課題を解決するための手段】
【０００７】
上記目的を達成するために、本発明のある局面に従うと、画像形成装置は、作業のためのガイダンス表示の開始を判断する判断手段と、判断手段でガイダンス表示を開始すると判断された場合に、ガイダンスを表示する表示手段とを備え、表示手段は、表示手段の正面位置と視点との角度である視野角が第１の角度となる第１の方向に対して第１の画面と、視野角が第２の角度となる第２の方向に対して第２の画面とを同時に表示し、第１の画面として第１の方向での作業に対応したガイダンスを含む画面を表示し、第２の画面として第２の方向での作業に対応したガイダンスを含む画面を表示する。
【０００８】
好ましくは、ガイダンスはジャムに対処する作業のためのガイダンスを含み、判断手段はジャムの発生を検出することでジャムに対処する作業のためのガイダンス表示の開始と判断し、表示手段は、ジャムに対処する作業を行なう各位置から視認可能な位置に設けられ、第１の画面として上記各位置のうち第１の方向に対応した位置での作業に対応したガイダンスを含む画面を表示し、第２の画面として上記各位置のうち第２の方向に対応した位置での作業に対応したガイダンスを含む画面を表示する。
【０００９】
好ましくは、ガイダンスは当該画像形成装置をセットアップまたはメンテナンスする作業のためのガイダンスを含み、判断手段はセットアップまたはメンテナンスの開始を検出することでセットアップまたはメンテナンスする作業のためのガイダンス表示の開始と判断し、表示手段は、セットアップまたはメンテナンスする作業を行なう各位置から視認可能な位置に設けられ、第１の画面として上記各位置のうち第１の方向に対応した位置での作業に対応したガイダンスを含む画面を表示し、第２の画面として上記各位置のうち第２の方向に対応した位置での作業に対応したガイダンスを含む画面を表示する。
【００１０】
好ましくは、判断手段は、さらにガイダンスの種類を判断し、画像形成装置は、表示手段において、判断手段で判断された種類に対応したガイダンスを表示させる表示制御手段をさらに備える。
【００１１】
好ましくは、判断手段は、さらにガイダンス表示の方向を判断し、画像形成装置は、表示手段において、判断手段で判断された方向にその方向での作業に対応したガイダンスを含む画面を表示させる表示制御手段をさらに備える。
【００１２】
より好ましくは、作業は第１段階の作業と第２段階の作業とを含み、判断手段は、さらに第１段階の作業の完了を判断し、表示制御手段は、表示手段に、判断手段で第１段階の作業の完了が判断されるまで第１段階の作業に応じた方向に第１段階の作業に対応したガイダンスを含む画面を表示させ、判断手段で第１段階の作業の完了が判断されると第２段階の作業に応じた方向に第２段階の作業に対応したガイダンスを含む画面を表示させる。
【００１３】
より好ましくは、表示制御手段は、表示手段に、判断手段で第１段階の作業の完了が判断されると、さらに、第１段階の作業に応じた方向に第２段階の作業の位置を通知する画面を表示させる。
【００１４】
より好ましくは、作業は第１段階の作業と第２段階の作業とを含み、判断手段は、さらに第１段階の作業の完了およびその段階で使用可能な機能を判断し、表示制御手段は、表示手段に、判断手段で第１段階の作業の完了が判断されると第２段階の作業に応じた方向に第２段階の作業に対応したガイダンスを含む画面を表示させると共に、上記機能を操作するための位置に応じた方向に、操作のための画面を表示させる。
【００１５】
好ましくは、第１の画面および第２の画面は、各々、操作を指示するための指示手段を含み、各指示手段は、表示手段において異なる座標位置に表示される。
【発明の効果】
【００１６】
本発明によると、マルチビュー液晶を採用した画像形成装置において、当該画像形成装置の各位置において作業するユーザに対してガイダンスをより分かりやすく提示することのできる。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。
【００１８】
図１は、本発明にかかる画像形成装置としての、実施の形態にかかるＭＦＰ（Multi Function Peripheral）１００の概観の具体例を示す図である。なお、本発明にかかる画像形成装置はＭＦＰに限定されず、プリンタや複写機等の他の装置であっても同様である。
【００１９】
図１を参照して、ＭＦＰ１００は、大きくは、原稿を読取って画像データを得るスキャナ部１０と、画像データを処理する処理部２０とを含み、操作を受付ける手段と表示手段とを兼ねる表示パネルで構成される表示部３０が設けられる。
【００２０】
処理部２０には、画像データに画像処理を行なって印刷用紙に印刷するための処理を行なう画像処理部２０Ｂ、画像処理部２０Ｂで印刷後の用紙を排紙する排紙処理部２０Ａ、および画像処理部２０Ｂに印刷用紙を給紙する給紙処理部２０Ｃが含まれ、本実施の形態では、図１に示されるように、画像処理部２０Ｂが正面、排紙処理部２０Ａが左側、給紙処理部２０Ｃが右側に配されるものとする。また、表示部３０には、下方からでも確認可能な位置に配される表示部３０Ａと、通常の操作位置に配される表示部３０Ｂとが含まれるものとする。なお、図１では表示部３０に表示部３０Ａと表示部３０Ｂとの２つの表示部が含まれる具体例が示されているが、当該ＭＦＰ１００上方および下方での作業時に確認可能な位置に配される場合、１つの表示部のみであってもよい。
【００２１】
図２は、ＭＦＰ１００の構成の具体例を示すブロック図である。
図２を参照して、ＭＦＰ１００は、表示部３０Ａ，３０Ｂを含んで構成され、操作や設定を受付け、また各種情報を表示する操作表示部１０２と、スキャナ部１０を含んで構成され、スキャナ部１０にセットされた原稿を読取って電子データ化した画像データを生成する画像読取部１０５と、画像データに対して各種処理を行なう画像処理部１０６と、処理後の画像データからプリントするための画像を形成する画像形成部１０７と、処理後の画像データなどの各種データを記憶するデータ記憶部１０８と、ネットワーク１１１を介して他の装置等とデータの送受信等を行なう通信部１０９と、ＣＰＵ（Central Processing Unit）を含んで構成され、上記各部を制御する制御部１０１と、ＭＦＰ１００内の各部に配され、当該各部の状態をセンシングしてその結果を制御部１０１に入力するセンサ１１０と、制御部１０１で実行されるプログラムを記憶したり、制御部１０１での処理や画像処理部１０６での処理の際の作業領域とされたりする記憶装置であるＲＯＭ（Read Only Memory）１０３やＲＡＭ（Random Access Memory）１０４とを含んで構成される。
【００２２】
図３は、表示部３０Ａでの表示原理を説明するための図である。表示部３０Ａは、見る角度、つまり表示部３０Ａと視点位置との角度（視野角）によって異なる画面を表示し得るマルチビュー液晶を採用している。本実施の形態では、横方向に視野角によって異なる画面を表示することが可能であるものとする。
【００２３】
図３を参照して、表示部３０Ａは、ＭＦＰ１００からユーザ側に向かって、バックライト３１３と、表示内容の異なる数種類（図３においては２種類）の映像を照射する液晶パネル３００と、縦方向のスリットの設けられた視差バリア３０１と、タッチパネル３１２とがこの順に配置される。
【００２４】
液晶パネル３００は制御部１０１に接続され、制御部１０１からの制御によって、表示部３０Ａに表示する画面を表現する光を照射する。マルチビュー液晶では、表示画面の横方向を等分割した各表示内容が、表示画面ごとに横に交互に並んで配置される。ここで、画面Ａと画面Ｂとを視野角に応じて表示する図３の例の場合、液晶パネル３００には、画面Ａの横方向を表示部３０Ａのサイズに応じて等分割した表示内容と、画面Ｂの横方向を表示部３０Ａのサイズに応じて等分割した表示内容とが、交互に、横方向に並んで配置され、その配置に応じて液晶パネル３００は光を照射する。
【００２５】
視差バリア３０１は、液晶パネル３００から照射される光の進路を左右方向に分離するフィルタとして機能する。図３の例の場合、視差バリア３０１は、液晶パネル３００上の画面Ａの表示内容が配置された位置からの照射を左方向に通過させ右方向には通過させない。同様に、画面Ｂの表示内容が配置された位置からの照射を右方向に通過させ左方向には通過させない。視差バリア３０１はフィルタとして予め設置されているものであってもよいし、制御部１０１に接続され、制御部１０１からの制御信号に従って上記スリットが構成あるいは非構成させる仕組みの液晶パネルなどであってもよい。
【００２６】
タッチパネル３１２は、たとえば静電式のものが挙げられ、ユーザの指が所定距離内に入る（あるいはタッチパネル３１２に触れる）ことによる静電容量の変化を検出する。または、その他の方法でユーザの指が所定距離内に入ったことを検出するようにしてもよい。タッチパネル３１２は制御部１０１に接続され、検出信号を制御部１０１に対して出力する。
【００２７】
図４は、上述のマルチビュー液晶を採用した表示部３０Ａを備えるＭＦＰ１００での表示画面の見え方を説明するための図である。本実施の形態においては、表示部３０Ａは、視野角に応じた画面として、ＭＦＰ１００に向かって左側に位置する視点（ユーザ）と表示部３０Ａとの視野角に応じた第１の画面と、正面に位置する視点と表示部３０Ａとの視野角に応じた第２の画面と、右側に位置する視点と表示部３０Ａとの視野角に応じた第３の画面とを表示するものとする。つまり、本実施の形態においては、表示部３０Ａにはトリプルビュー液晶が採用されているものとする。以降の説明において、図４に示されるように、上記第１の画面を「左画面」、第２の画面を「正面画面」、および第３の画面を「右画面」と称する。なお、ここで「正面」とは、視野角に０度を含む方向を指し、「左側」および「右側」とは、視野角に０度を含まない方向を指す。なお、本発明においてマルチビュー液晶はトリプルビュー液晶に限定されず、４方向以上に対して表示可能な液晶であってもよいし、２方向に対して表示可能なダブルビュー液晶であってもよい。また、表示方向は、横方向に視野角によって異なる画面を表示するものに限定されず、縦方向に視野角によって異なる画面を表示するものであってもよい。
【００２８】
図５は、ＭＦＰ１００において表示部３０Ａでの表示を制御するための機能構成の具体例を示すブロック図である。図５に示される各機能は、ＭＦＰ１００の制御部１０１に含まれるＣＰＵがＲＯＭ１０３等に記憶されているプログラムを読み出して実行することで、主に制御部１０１により実現される機能であり、図２に示される構成により実現される機能が含まれてもよい。
【００２９】
図５を参照して、ＭＦＰ１００の上記機能は、判断部３０３と、液晶パネル３００のうち上述の左画面の内容を配置する領域である左画面表示部３０９、正面画面の内容を配置する領域である正面画面表示部３１０、および右画面の内容を配置する領域である右画面表示部３１１での表示や表示の切替え等を制御する表示制御部３０５と、表示する画像データを記憶するメモリ３０６と、タッチパネル３１２を制御するタッチパネル制御部３０７と、バックライト３１３を制御するバックライト制御部３０８とを含んで構成される。さらに、メモリ３０６には、左画面表示部３０９に表示するための画像データを記憶する領域である左画面メモリ３０６１と、正面画面表示部３１０に表示するための画像データを記憶する領域である正面画面メモリ３０６２と、右画面表示部３１１に表示するための画像データを記憶する領域である右画面メモリ３０６３とが含まれる。
【００３０】
メモリ３０６は、紙詰まり（ジャム）等のトラブルに対処するためのガイダンス画面の画像データや、対処すべきＭＦＰ１００の位置を通知するためのガイダンス画面の画像データを記憶する。ここでは、予め、左側での作業のためのガイダンス画面、すなわち排紙処理部２０Ａおよびその周辺部であってＭＦＰ１００の左側で作業するためのガイダンス画面の画像データは左画面メモリ３０６１に記憶されているものとする。同様に、正面での作業のガイダンス画面、すなわち画像処理部２０Ｂおよびその周辺部であってＭＦＰ１００の正面で作業するためのガイダンス画面の画像データは正面画面メモリ３０６２に、右側での作業のガイダンス画面、すなわち給紙処理部２０Ｃおよびその周辺部であってＭＦＰ１００の右側で作業するためのガイダンス画面の画像データは右画面メモリ３０６３に記憶されているものとする。
【００３１】
判断部３０３は、上述のセンサ１１０から入力されるセンサ信号および／または操作表示部１０２での操作に応じて入力される操作信号に基づいて、ガイダンス表示を開始するタイミングとしてのトラブルの発生や、ガイダンス表示を終了するタイミングとしてそのトラブルが解消されたことを判断する。また、トラブルの発生位置や、解消具合も判断する。たとえば、トラブルがジャムである場合、ジャムが発生したこと、ジャムの発生した位置等を判断する。なお、トラブルの解消具合については、センサ１１０から入力されるセンサ信号に基づいて判断する他、トラブルを解消するための作業を行なっているユーザの操作を検出して判断することができる。具体的には、判断部３０３は、ジャムを解消するための作業を終了したユーザが操作表示部１０２に表示された完了ボタンを押したことによる操作信号に基づいて判断してもよい。また、操作完了後にユーザがカバーを閉じたことをセンシングしたセンサ１１０からのセンサ信号に基づいて判断してもよい。なお、本実施の形態では、トラブルの発生位置として正面位置、左側（排紙側）、および右側（給紙側）のいずれであるかが判断されるものとする。この判断を行なう１つの具体例としては、判断部３０３がＭＦＰ１００の各部について当該部位がいずれの位置であるかの対応関係を予め記憶しておくことが挙げられる。そして、判断結果を表示制御部３０５に入力する。
【００３２】
表示制御部３０５は、判断部３０３での判断結果に応じて、必要な画像データをメモリ３０６から読出し、判断部３０３での判断結果に対応した表示部に表示させるための制御を行なう。つまり、表示制御部３０５は、判断部３０３での判断結果に応じて、メモリ３０６の左画面メモリ３０６１に記憶されている画像データを読み出して左画面表示部３０９で表示させ、正面画面メモリ３０６２に記憶されている画像データを読み出して正面画面表示部３１０で表示させ、右画面メモリ３０６３に記憶されている画像データを読み出して右画面表示部３１１で表示させるための制御を行なう。
【００３３】
［第１の実施の形態］
図６は、判断部３０３でトラブルの発生が検出されたときに実行される、第１の実施の形態にかかる処理の流れの具体例を示すフローチャートである。ここでは、具体的に、トラブルとしてジャムに対処するガイダンス画面の表示を行なうための処理の流れを示している。
【００３４】
図６を参照して、判断部３０３は、センサ１１０から入力されるセンサ信号に基づいてガイダンス表示の開始のタイミングとしてのジャムの発生を検出し、その発生位置を特定する（ステップＳ１０１）。その位置がＭＦＰ１００の正面の位置である場合（ステップＳ１０３でＹＥＳ）、表示制御部３０５は正面画面メモリ３０６２から正面での作業のガイダンス画面、すなわち画像処理部２０Ｂおよびその周辺部であってＭＦＰ１００の正面で作業するためのガイダンス画面の画像データを読出し、正面画面表示部３１０に表示させる（ステップＳ１０５）。ステップＳ１０５での表示はジャムに対処する処理が完了するまで継続され、判断部３０３においてガイダンス表示の終了のタイミングとしてのジャムに対処する処理が完了したと判断されると（ステップＳ１０７でＹＥＳ）、表示制御部３０５は正面画面表示部３１０でのガイダンス画面の表示を終了させる（ステップＳ１１９）。
【００３５】
ジャムの発生位置が右側、すなわち給紙側である場合（ステップＳ１０３でＮＯ、かつステップＳ１０９でＹＥＳ）、同様に、表示制御部３０５は右画面メモリ３０６３から右側での作業のガイダンス画面、すなわち給紙処理部２０Ｃおよびその周辺部であってＭＦＰ１００の右側で作業するためのガイダンス画面の画像データを読出し、右画面表示部３１１に表示させる（ステップＳ１１１）。ステップＳ１１１での表示はジャムに対処する処理が完了するまで継続され、判断部３０３において、ガイダンス表示の終了のタイミングとしてのジャムに対処する処理が完了したと判断されると（ステップＳ１１３でＹＥＳ）、表示制御部３０５は右画面表示部３１１でのガイダンス画面の表示を終了させる（ステップＳ１１９）。
【００３６】
ジャムの発生位置が左側、すなわち排紙側である場合（ステップＳ１０３でＮＯ、かつステップＳ１０９でＮＯ）、同様に、表示制御部３０５は左画面メモリ３０６１から左側での作業のガイダンス画面、すなわち排紙処理部２０Ａおよびその周辺部であってＭＦＰ１００の左側で作業するためのガイダンス画面の画像データを読出し、左画面表示部３０９に表示させる（ステップＳ１１５）。ステップＳ１１５での表示はジャムに対処する処理が完了するまで継続され、判断部３０３においてジャムに対処する処理が完了したと判断されると（ステップＳ１１７でＹＥＳ）、表示制御部３０５は左画面表示部３０９でのガイダンス画面の表示を終了させる（ステップＳ１１９）。
【００３７】
ＭＦＰ１００で以上の処理が実行されることで、ジャムの発生位置が排紙処理部２０Ａと判断された場合には、上記ステップＳ１１５で図７（Ａ）に示されるように、表示部３０Ａに左方向に向けて排紙処理部２０Ａのジャムに対処するための作業手順を示すガイダンス画面が表示される。また、ジャムの発生位置がＭＦＰ１００本体の本体給紙トレイ等の画像処理部２０Ｂと判断された場合には、上記ステップＳ１０５で図７（Ｂ）に示されるように、表示部３０Ａに正面に向けて画像処理部２０Ｂのジャムに対処するための作業手順を示すガイダンス画面が表示される。また、ジャムの発生位置が給紙処理部２０Ｃと判断された場合には、上記ステップＳ１１１で図７（Ｃ）に示されるように、表示部３０Ａに右方向に向けて給紙処理部２０Ｃのジャムに対処するための作業手順を示すガイダンス画面が表示される。
【００３８】
これによりジャムを解消するための作業を行なうユーザは、作業位置で表示部３０Ａに表示されるガイダンス画面を視認し得る。したがって、上記ユーザは、ガイダンス内容を視認しながら作業を行なうことができ、ガイダンス内容が理解しやすく、作業を効率的に行なうことができる。
【００３９】
なお、上述の例はジャムを具体例としたトラブル発生時のガイダンス画面の表示であるが、上述のように、トラブル発生時の他、消耗品の補給時やメンテナンス処理時やセットアップ時にも同様の表示のための制御がなされてもよい。以降の実施の形態においても同様である。たとえばセットアップ時には、判断部３０３は電源の投入や操作表示部１０２でのセットアップ開始指示に応じた操作信号などに基づいてガイダンス表示の開始を判断する。そして、図８に示されるように、排紙処理部２０Ａでのセットアップ作業のためのガイダンス画面が図８（Ａ）に示されるように表示部３０Ａに左方向に向けて表示され、画像処理部２０Ｂでのセットアップ作業のためのガイダンス画面が図８（Ｂ）に示されるように表示部３０Ａに正面に向けて表示され、給紙処理部２０Ｃでのセットアップ作業のためのガイダンス画面が図８（Ｃ）に示されるように表示部３０Ａに右方向に向けて表示される。この場合、これらのガイダンス画面は同時に３方向に表示されてもよいし、所定の時間間隔で順に表示されてもよい。
【００４０】
また、上述の例はジャムを具体例としたトラブル発生時のガイダンス画面の表示であるが、トラブルはジャムに限定されず、その他のトラブルも含まれる。その場合、ガイダンス画面の内容も異なる。そのため、好ましくは、上記ステップＳ１０５、Ｓ１１１、Ｓ１１５では、トラブルの種類と発生位置とに応じた方向および内容のガイダンス画面を表示する。以降の実施の形態においても同様である。その場合、判断部３０３はセンサ１１０からのセンサ信号に基づいてガイダンス表示の開始を判断すると共に、トラブルの種類と発生位置とを判断し、判断結果を表示制御部３０５に入力する。表示制御部３０５は、予め、トラブルの種類とガイダンス画面の画像データの種類との対応関係を記憶しておき、上記判断結果に応じて、トラブルの発生位置に対応するメモリ３０６から、トラブルの種類に対応するガイダンス画面の種類の画像データを読出して表示させる。
【００４１】
さらに、上述の具体例では表示部３０Ａはトリプルビュー液晶であるものとしているが、表示制御部３０５が液晶パネル３００での表示内容の配置および視差バリア３０１の構成を制御することで、表示画面の方向および数に応じて、表示方向が２方向または４方向以上となるよう制御可能としてもよい。たとえば、ガイダンス画面が右画面および左画面のみである場合には、表示制御部３０５が表示部３０Ａをダブルビュー液晶となるよう制御してもよい。表示制御部３０５は判断部３０３での判断に対応したガイダンス画面の画像データを読出すことで、表示画面の方向および数に応じて表示部３０Ａの表示方向を制御することができる。また、他の制御として、判断部３０３での判断に対応したガイダンス画面に、左画面、正面画面、および右画面のうち画像データの記憶されていない画面が存在する場合、つまり、ガイダンス画面が２方向以下の画面である場合、表示制御部３０５は、画像データの記憶されていない方向に、他の方向用の画像データに基づく画面表示を行なうようにしてもよい。これは、ガイダンス画面の画像データがいずれかの方向に対応するメモリに記憶されていない場合に、別の方向に対応するメモリに記憶されている画像データを記憶されていないメモリに格納することで実現することができる。これは、後述する第２の実施の形態にかかる表示制御でも同様である。このように制御されることで、各位置で作業するユーザが作業位置をある程度変えた場合であっても変えた位置からでもガイダンス表示を見やすくすることができる。
【００４２】
なお、指示手段として左画面にボタン３１Ａ、正面画面にボタン３１Ｂ、および右画面にボタン３１Ｃを表示する場合には、図９に示されるように、表示部３０Ａにおいてこれらボタン３１Ａ，３１Ｂ，３１Ｃは異なる座標位置とすることが好ましい。制御部１０１でいずれの画面における指示がなされたか判別可能となるからである。さらに左画面、正面画面、および右画面は、各々、当該ＭＦＰ１００の左側、正面、および右側の位置で作業するユーザに向けて表示することを想定している。そこで、好ましくは、ボタン３１Ａは表示部３０Ａの左側、ボタン３１Ｂは表示部３０Ａの正面、およびボタン３１Ｃは表示部３０Ａの右側に表示する。これにより、各位置で作業しているユーザによって指示操作がし易くなる。
【００４３】
［第２の実施の形態］
第２の実施の形態においては、ジャムが複数箇所にわたって発生している場合など、トラブルに対処する作業が他段階にわたるものとする。このとき、メモリ３０６には各段階に応じたガイダンス画面の画像データが記憶されているものとする。判断部３０３はセンサ１１０からのセンサ信号および／または操作表示部１０２での操作に応じて入力される操作信号に基づいて、上記作業の完了状況を判断するものとする。たとえば、複数箇所にわたって用紙が詰まっている場合には、どの箇所までジャムが解消されたかをセンサ信号に基づいて判断する。または、各段階での作業が終了したユーザが操作表示部１０２に表示された完了ボタンを押したことによる操作信号に基づいて、どの箇所までジャムが解消されたかが判断されてもよい。さらに、好ましくは、判断部３０３は、予めトラブルの種類に応じた作業段階を記憶しておき、センサ１１０からのセンサ信号に基づいて複数段階の作業が必要である種類のトラブル（たとえば複数箇所にわたるジャム）が発生したと判断した場合、作業段階に応じてジャムの箇所およびどの箇所までジャムが解消されたかを判断する。表示制御部３０５は、予め作業の段階とガイダンス画面の画像データとの対応関係を記憶しておき、上記判断結果に応じて、トラブルの発生位置に対応するメモリ３０６から、作業の段階に対応するガイダンス画面の画像データを読出して表示させる。
【００４４】
図１０は、判断部３０３でトラブルの発生が検出されたときに実行される、第２の実施の形態にかかる処理の流れの具体例を示すフローチャートである。ここでは、ジャムが複数箇所にわたって発生しているものとし、そのジャムに対処する作業の第１段階として、図６に示された第１の実施の形態にかかる処理において、上記ステップＳ１０３で判断部３０３によってジャムの発生位置が正面と特定された場合の、上記ステップＳ１０３以降の処理の具体例を示している。
【００４５】
図１０を参照して、このとき、表示制御部３０５は正面画面メモリ３０６２から、ジャムに対処する作業の第１段階用の、正面での作業のガイダンス画面、すなわち画像処理部２０Ｂおよびその周辺部であってＭＦＰ１００の正面で作業するためのガイダンス画面の画像データを読出し、正面画面表示部３１０に表示させる（ステップＳ１０５’）。ステップＳ１０５’での表示はジャムに対処する処理の第１段階が完了するまで継続され、判断部３０３においてジャムに対処する処理の第１段階が完了したと判断されると（ステップＳ１０６でＹＥＳ）、判断部３０３は、センサ１１０からのセンサ信号に基づいて、ジャムに対処する処理が完了したか否かを判断する（ステップＳ１０７）。
【００４６】
その結果、第１段階の処理が完了した段階ですべての処理が完了していない場合には（ステップＳ１０７でＮＯ）、判断部３０３は、さらにセンサ１１０からのセンサ信号に基づいて、第２段階の処理が第１段階の処理の位置とは異なるか同じであるかをさらに判断する（ステップＳ１０８）。その結果、同じ位置である場合には（ステップＳ１０８でＮＯ）、表示制御部３０５は正面画面メモリ３０６２からジャムに対処する作業の第２段階用のガイダンス画面の画像データを読出し、正面画面表示部３１０に表示させる（ステップＳ１１０）。異なる位置である場合には（ステップＳ１０８でＹＥＳ）、表示制御部３０５は判断部３０３で判断された第２段階の作業の位置をユーザに通知するガイダンス画面を正面画面表示部３１０に表示させる（ステップＳ１１２）。さらに、表示制御部３０５は、左画面メモリ３０６１または右画面メモリ３０６３のうちの対応する側のメモリからジャムに対処する作業の第２段階用のガイダンス画面の画像データを読出し、左画面表示部３０９または右画面表示部３１１のうちの対応する側の表示部に表示させる（ステップＳ１１４）。
【００４７】
上記ステップＳ１０７〜Ｓ１１４の処理は、判断部３０３によってセンサ１１０からのセンサ信号に基づいて、ジャムに対処する処理が完了したと判断されるまで順次実行され、ジャムに対処する処理が完了したと判断されると（ステップＳ１０７、…でＹＥＳ）、表示制御部３０５は最終に表示されているガイダンス画面の表示を終了させる（ステップＳ１１９）。
【００４８】
ＭＦＰ１００で以上の処理が実行されることで、ジャムに対処する作業の第１段階の位置が排紙処理部２０Ａと判断されて図７（Ａ）と同様に図１１（Ａ）に示されるように表示部３０Ａに左方向に向けてガイダンス画面が表示された後、第１段階の作業の完了が検出されると、図１１（Ｂ），図１１（Ｃ）に示されるように、次の段階の作業のガイダンス画面（図１１（Ｂ））、さらに次の段階の作業の位置を通知するガイダンス画面（図１１（Ｃ））が表示部３０Ａに左方向に向けて表示される。
【００４９】
これによりジャムを解消するための作業を行なうユーザは、作業手順に応じた作業位置で表示部３０Ａに表示されるガイダンス画面を視認し得る。また、表示部３０Ａに表示されるガイダンス画面に沿って作業の段階を進めることができる。したがって、上記ユーザは、ガイダンス内容が理解しやすく、作業を効率的に行なうことができる。
【００５０】
［変形例］
なお、以上の実施の形態では、表示部３０Ａが横方向または縦方向のいずれか一方の方向に、複数の視野角に対応した向きに画面を表示するものとしている。具体例では横方向に左画面、正面画面、および右画面を表示するものとしている。変形例として、表示部３０Ａは、横方向または縦方向のいずれか一方の方向に複数の視野角に対応した向きに画面を表示すると共に、上記３画面の他の画面も表示するものとする。具体例として、表示部３０Ａは、図１２に示されるように、横方向に左画面、正面画面、および右画面を表示すると共に、これら画面とは別に、正面画面をさらに表示するものとする。そこで、変形例において、横方向に左画面、右画面と共に表示される正面画面を正面画面Ａとし、これら画面とは別にさらに表示される正面画面を正面画面Ｂとする。
【００５１】
図１３は、変形例における表示を実現する１つの具体的な方法として、液晶パネル３００の構成の具体例を示す図である。図１３を参照して、変形例においては、先述の液晶パネル３００は上下２つの液晶パネル３００Ａ，３００Ｂで構成される。上方に位置する液晶パネル３００Ａは、正面画面Ｂを表現する光を照射する。下方に位置する液晶パネル３００Ｂには、図３を用いて説明されたように、左画面、正面画面Ａ、および右画面の各々の横方向を等分割した各表示内容が、表示画面ごとに横に交互に並んで配置され、液晶パネル３００Ｂは、その配置に応じて光を照射する。このとき、視差バリア３０１も液晶パネル３００と同様に上下２つの視差バリアで構成される（不図示）。これらは、２種類のフィルタで構成されるものであってもよい。または、各々制御部１０１に接続されて、制御部１０１からの制御信号に従ってスリットが各々異なって構成されてもよい。
【００５２】
なお、図１３に示された構成において、上方に位置する液晶パネル３００Ａが下方に位置する液晶パネル３００Ｂと同様の構成となることで、図３に示された液晶パネル３００の構成と同じとなる。つまり、図１３のように構成されて、上下の液晶パネル３００Ａ，３００Ｂで同じ配置で光が照射されることで、先述の３方向の画面表示も実現できる。
【００５３】
なお、変形例における表示は、図１２，図１３に示された表示には限定されず、その他の方向、その他の構成であってもよい。上述の例は、たとえばジャムに対処する作業を行なっている際に画像処理部２０Ｂのジャムが解消された段階でＭＦＰ１００においてスキャン動作のみ可能になった場合、ＭＦＰ１００は、左画面、正面画面Ａ、および右画面としては引き続きジャムに対処する作業のためのガイダンス画面を表示しながら、正面画面Ｂとして、図１４に示されるような、スキャン操作を行なうための画面を表示する場合が想定されている。そのため、正面画面Ｂは図１２に示されるようにスキャン操作に対応した方向（正面）に表示されるものとしている。そこで、判断部３０３が各段階の作業の完了を検出する際に併せてその段階で操作可能な機能を判断し、表示制御部３０５がその方向に応じた方向にさらに画面表示を行なうよう、液晶パネル３００Ａ，３００Ｂに表示画面の内容を配置してもよい。
【００５４】
これにより、トラブルに対処するユーザにとっても、操作するユーザにとっても見やすい表示が実現される。なお、正面画面Ｂとしてスキャン操作を行なうための画面を表示する場合であって、たとえばコピーやファクシミリ受信等の印刷機能などその他の機能を用いる操作がジャムの未解消によって不可能な場合には、正面画面Ｂには、他の箇所のジャムに対処する作業を行なうよう促す表示がさらになされることが好ましい。これにより、トラブルへの対処が効果的に促される。
【００５５】
さらに、上述の処理をコンピュータに実行させるプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００５７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００５８】
提供されるプログラム製品は、ハードディスクなどのプログラム格納部にインストールされて実行される。なお、プログラム製品は、プログラム自体と、プログラムが記録された記録媒体とを含む。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】実施の形態にかかるＭＦＰの概観の具体例を示す図である。
【図２】実施の形態にかかるＭＦＰの構成の具体例を示すブロック図である。
【図３】実施の形態にかかるＭＦＰの表示部での表示原理を説明するための図である。
【図４】マルチビュー液晶を採用した表示部を備えるＭＦＰでの表示画面の見え方を説明するための図である。
【図５】実施の形態にかかるＭＦＰにおいて表示部での表示を制御するための機能構成の具体例を示すブロック図である。
【図６】ＭＦＰにおいてトラブルの発生が検出されたときに実行される、第１の実施の形態にかかる処理の流れの具体例を示すフローチャートである。
【図７】ジャムに対処するための作業手順を示すガイダンス画面である表示画面の具体例を示す図である。
【図８】セットアップ作業のためのガイダンス画面である表示画面の具体例を示す図である。
【図９】各方向画面でのボタンの表示位置の具体例を説明する図である。
【図１０】ＭＦＰにおいてトラブルの発生が検出されたときに実行される、第２の実施の形態にかかる処理の流れの具体例を示すフローチャートである。
【図１１】ジャムに対処するための作業手順を示すガイダンス画面である表示画面の具体例を示す図である。
【図１２】変形例での表示画面の見え方を説明するための図である。
【図１３】変形例にかかる表示部での表示原理を説明するための図である。
【図１４】変形例にかかる表示部での表示画面の１つの具体例を示す図である。
【符号の説明】
【００６１】
１０  スキャナ部、２０  処理部、２０Ａ  排紙処理部、２０Ｂ  画像処理部、２０Ｃ  給紙処理部、３０，３０Ａ，３０Ｂ  表示部、３１Ａ，３１Ｂ，３１Ｃ  ボタン、１００  ＭＦＰ、１０１  制御部、１０２  操作表示部、１０３  ＲＯＭ、１０４  ＲＡＭ、１０５  画像読取部、１０６  画像処理部、１０７  画像形成部、１０８  データ記憶部、１０９  通信部、１１０  センサ、１１１  ネットワーク、１１２  ステータス管理部、１１３，１１３ａ，１１３ｂ  センサ、３００  液晶パネル、３０１  視差バリア、３０３  判断部、３０４  押しボタン制御部、３０５  表示制御部、３０６  メモリ、３０７  タッチパネル制御部、３０８  バックライト制御部、３０９  左画面表示部、３１０  正面画面表示部、３１１  右画面表示部、３１２  タッチパネル、３１３  バックライト、３１８  ＩＤ取得部、３０６１  左画面メモリ、３０６２  正面画面メモリ、３０６３  右画面メモリ。
【図１】
2009229731.tif 000003
【図２】
2009229731.tif 000004
【図３】
2009229731.tif 000005
【図４】
2009229731.tif 000006
【図５】
2009229731.tif 000007
【図６】
2009229731.tif 000008
【図９】
2009229731.tif 000009
【図１０】
2009229731.tif 000010
【図１２】
2009229731.tif 000011
【図１３】
2009229731.tif 000012
【図１４】
2009229731.tif 000013
【図７】
2009229731.tif 000014
【図８】
2009229731.tif 000015
【図１１】
2009229731.tif 000016